(57)【特許請求の範囲】
【請求項１】
リールから線条の定形シーリング材を引き出してシーリングするシーリング工具であって、
上記リールをハンドルに回転可能に支持させ、このハンドルの先端部に該リールから引き出された上記定形シーリング材を挟む少なくとも一対の繰り出しローラを支持させ、該ハンドルの先端部に圧着ローラを支持させて当該圧着ローラを該一対の繰り出しローラよりも先端部側に位置させ、該ハンドルの先端部に該一対の繰り出しローラと該圧着ローラとの間に位置する第一の刃を取り付けるとともに、該ハンドルの先端部に回転操作で該第一の刃に接離する第二の刃を支持させ、これら第一、第二の刃の間に上記定形シーリング材を挟んで切断することを特徴とするシーリング工具。
【請求項２】
上記一対の繰り出しローラにおける一の繰り出しローラの外周面に複数の溝を周方向に並べ設けた請求項１記載のシーリング工具。
【請求項３】
上記ハンドルの先端部に、上記第一、第二の刃の間を通過した上記定形シーリング材を上記圧着ローラの近傍に導くガイドを設けた請求項１又は２記載のシーリング工具。
【請求項４】
請求項１記載のシーリング工具を使用して建築物の目地をシーリングする方法であって、
上記シーリング工具から上記定形シーリング材を繰り出し、この定形シーリング材を上記建築物の目地に沿うよう上記圧着ローラで押し付けながら接着し、上記第二の刃を回転操作して余分な定形シーリング材を切断することを特徴とするシーリング工具を用いた目地のシーリング方法。
【発明の詳細な説明】
【０００１】
【発明の属する技術分野】
本発明は、建築物の目地等をシーリングするシーリング工具及びこれを用いた目地のシーリング方法に関するものである。
【０００２】
【従来の技術】
従来、図９に示すようなビル等の外壁３０の目地３１をシーリングする場合には、図１０に示すように、先ず、外壁３０の施工面を布３２で清掃し(図１０(ａ)参照)、必要に応じてプライマーを塗布し(図１０(ｂ)参照)、外壁３０の目地３１に沿うよう線条の定形シーリング材１を圧着する(図１０(ｃ)参照)とともに、目地３１からはみ出た余分な定形シーリング材１を図示しない挟みで切断する。そして、定形シーリング材１からキャリアフィルム２を剥離し、この定形シーリング材１の表面を押圧工具３３で圧着して仕上げ(図１０(ｄ)参照)、はみ出た定形シーリング材１をヘラ３４で除去して外壁３０の施工面を清掃し(図１０(ｅ)参照)、その後、定形シーリング材１が損傷しないよう所定時間放置して硬化させ、外壁３０の目地３１をシーリングしている。
【０００３】
【発明が解決しようとする課題】
従来における外壁３０の目地３１は、以上のようにシーリングされ、作業時に別体の定形シーリング材１、挟み、及び押圧工具３３等が必要なので、施工治具の点数が多く、その管理や保管が実に煩雑になるという問題がある。さらに、両手で作業しなければならないので、足場での作業に難がある。
【０００４】
本発明は、上記問題に鑑みなされたもので、施工治具の点数を削減してその管理や保管を容易にし、高所作業の円滑化や容易化を図ることのできるシーリング工具及びこれを用いた目地のシーリング方法を提供することを目的としている。
【０００５】
【課題を解決するための手段】
請求項１記載の発明においては、上記課題を達成するため、リールから線条の定形シーリング材を引き出してシーリングするものであって、
上記リールをハンドルに回転可能に支持させ、このハンドルの先端部に該リールから引き出された上記定形シーリング材を挟む少なくとも一対の繰り出しローラを支持させ、該ハンドルの先端部に圧着ローラを支持させて当該圧着ローラを該一対の繰り出しローラよりも先端部側に位置させ、該ハンドルの先端部に該一対の繰り出しローラと該圧着ローラとの間に位置する第一の刃を取り付けるとともに、該ハンドルの先端部に回転操作で該第一の刃に接離する第二の刃を支持させ、これら第一、第二の刃の間に上記定形シーリング材を挟んで切断することを特徴としている。
【０００６】
なお、上記一対の繰り出しローラにおける一の繰り出しローラの外周面に複数の溝を周方向に並べ設けることが好ましい。
また、上記ハンドルの先端部に、上記第一、第二の刃の間を通過した上記定形シーリング材を上記圧着ローラの近傍に導くガイドを設けると良い。
【０００７】
また、請求項４記載の発明においては、上記課題を達成するため、請求項１記載のシーリング工具を使用して建築物の目地をシーリングする方法であって、
上記シーリング工具から上記定形シーリング材を繰り出し、この定形シーリング材を上記建築物の目地に沿うよう上記圧着ローラで押し付けながら接着し、上記第二の刃を回転操作して余分な定形シーリング材を切断することを特徴としている。
【０００８】
ここで、特許請求の範囲における定形シーリング材は、連続した線条、換言すれば、紐状であれば、大きさ、厚さ、又は寸法等を適宜変更することができるし、キャリアフィルムの有無も特に限定されるものではない。この定形シーリング材には加熱硬化タイプや常温硬化タイプ等の種類があるが、いずれの種類でも良い。また、建築物には、ビル、ホール、会館、又は住宅等が含まれる。この建築物の目地は、内外壁いずれに設けられるものでも良い。目地には縦目地と横目地のどちらも含まれる。また、シーリング工具は、目地のシーリングが主な用途であるが、例えば建築パネルと押縁との固定等にも適宜使用することができる。さらに、接着には粘着や密着が含まれる。
【０００９】
請求項１又は４記載の発明によれば、定形シーリング材、圧着ローラ、及び第一、第二の刃が一体化するので、挟み等の施工治具を削減することができる。また、定形シーリング材を片手で被着面に押し付けたり、シーリングしたり、あるいは切断等することができるので、低所作業だけではなく、高所作業等も容易化し、作業性等を向上させることができる。
【００１０】
請求項２記載の発明によれば、リールから引き出された定形シーリング材を一の繰り出しローラがハンドルの先端部方向、換言すれば、一方向のみに繰り出すので、定形シーリング材がリール方向に逆戻りして作業が遅延したり、中断等するのを有効に阻止することができる。
請求項３記載の発明によれば、ガイドが圧着ローラの周面近傍に定形シーリング材を案内するので、定形シーリング材が圧着ローラの周面から大きく離れたり、所定の箇所以外の箇所に繰り出されることがない。したがって、定形シーリング材に圧着ローラを簡単に押し付けることができる。
【００１１】
【発明の実施の形態】
以下、図面を参照して本発明の好ましい実施形態を説明すると、本実施形態におけるシーリング工具は、図１ないし図４等に示すように、可撓性の定形シーリング材１を巻回したリール３をハンドル４に軸支させ、このハンドル４の取付プレート８にリール３から引き出された定形シーリング材１を弾発的に挟持する第一、第二の繰り出しローラ１０・１３を配設し、ハンドル４の取付プレート８に圧着ローラ１７を軸支させて圧着ローラ１７を第一、第二の繰り出しローラ１０・１３よりも先端部側に位置させ、ハンドル４の先端部には、第一、第二の繰り出しローラ１０・１３と圧着ローラ１７との間に位置する第一の刃１８を軸支させるとともに、揺動操作で第一の刃１８に接離する第二の刃１９を軸支させ、ハンドル４の取付プレート８には定形シーリング材１を圧着ローラ１７の下部周面の近傍に導くガイド片２４を螺着している。
【００１２】
定形シーリング材１は、例えば耐久性、耐熱性、耐寒性、耐油性、耐溶剤性、耐薬品性、及び耐候性等に優れる未硬化で高分子量のシリコーンゴム等を用いて連続した断面矩形の線条に押出成形されている。この定形シーリング材１は、ある程度の粘着性を有し、図７や図８等に示すように、表面に透明のキャリアフィルム２が着脱自在に粘着されている。このような定形シーリング材１としては、例えば反応接着シリコーンゴムであるポリマエース(商品名：信越ポリマー株式会社製)があげられる。
【００１３】
ハンドル４は、図５や図６等に明示するように、加工の容易なアルミニウム等を使用して角筒形のパイプに形成され、その上流部である末端部に力学的性質や加工性に優れるジュラコン(共重合系ポリアセタールの商品名(ポリプラスチック社)、以下同じ)、ポリエチレン、ポリプロピレン等の滑り性の良い部材からなる支持軸５が一側方向に向け水平に螺着されるとともに、この支持軸５の回転可能な自由端部には金属製等のワッシャ６が嵌通支持されており、これら支持軸５の自由端部とワッシャ６とにリール３の中心部が着脱自在に安定して嵌通軸支される。ハンドル４は、その下流部である先端部の内部に取付軸７が筒形の軸受を介し先端部方向に向け軸支され、先端部には断面略倒Ｌ字形の取付プレート８が一側方向に張り出して溶着載置されており、この取付プレート８の垂下した立面の一側部には矩形の貫通口９が縦長に形成されている。
【００１４】
第一の繰り出しローラ１０は、図１、図２、図４等に明示するように、ジュラコン等(前出)を用いて成形され、取付プレート８の一側部における末端部側の下方に軸を介し回転可能に軸支されている。この第一の繰り出しローラ１０は、本体である円筒体を備え、この円筒体の外周面の両端部には拡径部１１がそれぞれ膨出成形されており、この一対の拡径部１１の間の隙間１２が定形シーリング材１を挟持したガイド状態で繰り出すよう機能する。第二の繰り出しローラ１３は、延性や展性に優れる黄銅等を用いて形成され、取付プレート８の一側部における末端部側の上方に揺動板１４を介し回転可能に軸支されている。
【００１５】
第二の繰り出しローラ１３は、同図に示すように、その外周面に軸方向に指向する複数の溝１５が周方向に並設されたローレット構造を呈し、リール３から引き出された定形シーリング材１にキャリアフィルム２を介し接触してこれを先端部方向のみに繰り出し、定形シーリング材１がリール３方向に逆戻りするのを防止する。揺動板１４と取付プレート８との間には捩りばねからなる付勢ばね１６が介装張架され、この付勢ばね１６が揺動板１４を、換言すれば、第二の繰り出しローラ１３を使用時に定形シーリング材１に弾発的に接触させ、不使用時には下方の第一の繰り出しローラ１０の外周面に弾発的に接触させる。
【００１６】
圧着ローラ１７は、図１ないし図５に示すように、ジュラコン等(前出)を用いて成形され、取付プレート８の一側部における最先端部に軸を介し回転可能に軸支されている。このような構成の圧着ローラ１７は、図１に示すように、第一、第二の繰り出しローラ１０・１３から繰り出された定形シーリング材１の先端部の圧着に用いられる。
【００１７】
第一の刃１８は、図２ないし図５に明示するように、各種金属を用いて細長い板形に形成されている。この第一の刃１８は、その末端部がハンドル４の取付軸７に回転可能に嵌通軸支されて取付プレート８の貫通口９を遊嵌し、先端部の刃部が第一、第二の繰り出しローラ１０・１３と圧着ローラ１７との間に斜めに配置されている。第二の刃１９は、同図に明示するように、各種金属を用いて細長い板形に形成され、ハンドル４の取付軸７に揺動プレート２２を介して嵌通軸支されている。
【００１８】
第二の刃１９は、その末端部が揺動プレート２２に溶着されて取付プレート８の貫通口９を遊嵌し、先端部の刃部が第一、第二の繰り出しローラ１０・１３と圧着ローラ１７との間に斜めに配置されている。第二の刃１９は、下方の第一の刃１８との間に捩りばねからなる復帰ばね２０が締結具を介して張架され、先端部には第一の刃１８の刃部に摺接する略Ｌ字形のばね線２１が締結具を介し螺着されており、第一の刃１８との間に定形シーリング材１を挟んで切断するよう機能する。揺動プレート２２は、各種金属を用いて屈曲形成され、ハンドル４の取付軸７に嵌通軸支されており、他側部の起立したアームには手動用の操作レバー２３の端部が締結具を介し一体的に貫通軸支されている。
【００１９】
さらに、ガイド片２４は、図１ないし図３に示すように、各種金属を用いて断面略倒Ｌ字形に屈曲形成されている。そして、取付プレート８の一側部に螺着されて圧着ローラ１７と第二の刃１９との間に斜め下向きに位置し、圧着ローラ１７の下部周面の直近に定形シーリング材１を導くよう機能する。
【００２０】
上記構成において、ビル等の外壁３０の目地３１をシーリングする場合には、先ず、外壁３０の施工面を清掃した後、必要に応じて目地３１にプライマーを塗布する。清掃する場合には、施工面をハケや布３２でから拭きし、洗浄液を浸した布で拭いて表面の油や塵芥を除去すると良い。こうして清掃やプライマー処理を施したら、シーリング工具の支持軸５にクーラボックス等から取り出したリール３を嵌挿して図１や図２の状態に組み立て、手にしたシーリング工具の先端部、すなわちガイド片２４から定形シーリング材１をキャリアフィルム２を剥離することなく繰り出す。
【００２１】
この作業の際、定形シーリング材１は、指で摘まんで繰り出しても良いし、第二の繰り出しローラ１３を回して繰り出しても良い。また、定形シーリング材１の繰り出しに応じて揺動板１４が揺動するので、定形シーリング材１を円滑に繰り出すことができる。また、開放した第一の刃１８と第二の刃１９の先端部間にばね線２１が介在するので、第一、第二の刃１８・１９の間から定形シーリング材１が一側部方向に外れることがない。
【００２２】
次いで、図１に示すように、定形シーリング材１を外壁３０の目地３１に沿うようキャリアフィルム２の上から圧着ローラ１７で押し付けながら圧着・粘着し、目地３１をシーリングする。この際、圧着ローラ１７で押し付ければ、定形シーリング材１を十分に圧着することができるが、必要であれば、目地３１の定形シーリング材１をキャリアフィルム２の上から圧着ローラ１７で再度圧着すれば良い。目地３１をシーリングしたら、定形シーリング材１を所定の長さとするため、操作レバー２３を引き起こすよう揺動操作(図３の矢印参照)して目地３１からはみ出たリール３側の余分な定形シーリング材１を第一の刃１８と第二の刃１９とで切断し、指を離して撓んだ復帰ばね２０により操作レバー２３を揺動復帰させ、閉じた第一、第二の刃１８・１９を元の開放状態に離隔させる。
【００２３】
そして、定形シーリング材１からキャリアフィルム２を剥離し、この定形シーリング材１の表面を圧着ローラ１７で押圧して表面仕上げを行うとともに、目地３１からはみ出した定形シーリング材１をヘラ３４やブラシ等で除去して外壁３０の施工面を清掃し、その後、定形シーリング材１が損傷しないよう所定時間(例えば、３日から１週間程度)放置して硬化させれば、外壁３０の目地３１をシーリングして壁面デザインを高めることができる。なお、目地３１が汚染しやすい環境では養生後にキャリアフィルム２を剥離すると良い。また、バリがある場合、キャリアフィルム２を剥離してバリ取りすると良い。
【００２４】
上記構成によれば、ハンドル４に定形シーリング材１、圧着ローラ１７、及び第一の刃１８と第二の刃１９を一体的に設けて多機能化・多用途化するので、施工治具を削減することができ、シーリング工具や施工治具の管理や保管もきわめて容易となる。また、片手で作業することができるので、残りの手で足場のパイプを握ったり、外壁３０の壁面に手を当てて身体を支えることができる。したがって、足場等での作業が実に容易化し、安全性、作業性、及び施工性を著しく向上させることが可能になる。また、定形シーリング材１に複数の溝１５を接触させる第二の繰り出しローラ１３がワンウエイクラッチと略同様の機能を有するので、定形シーリング材１を第一、第二の刃１８・１９で切断しても、定形シーリング材１がリール３方向に逆戻りしたり、第一、第二の繰り出しローラ１０・１３から外れることがない。
【００２５】
また、定形シーリング材１を使用するので、シーリング作業の簡便化や迅速化が大いに期待できる。また、シリコーン系の定形シーリング材１を使用するので、高い接着力と材料強度を得ることが可能になる。さらに、ゴム弾性により応力や変位を吸収することができるので、長期にわたる止水機能をきわめて容易に得ることができる。さらにまた、高分子量のシリコーンゴムを採用するので、汚染物質を大幅に減少させることができる。
【００２６】
なお、上記実施形態のシーリング工具は、使用態様や必要に応じ、上下逆にしたり、横にする等して使用することができる。また、可能であれば、シリコーンゴム以外のゴムからなる定形シーリング材１を適宜用いても良い。また、第一、第二の繰り出しローラ１０・１３は上下逆に配設しても良い。これら第一、第二の繰り出しローラ１０・１３以外のガイドローラを適宜取り付けることもできる。また、第一、第二の刃１８・１９とを上下逆に配設することも可能である。また、ハンドル４の取付軸７に第一の刃１８の末端部を固定して取付プレート８の貫通口９を遊嵌させても良い。さらに、ガイド片２４以外のガイドを適宜取り付けることもできる。さらにまた、圧着ローラ１７の周面の近傍に定形シーリング材１を繰り出すことができるのであれば、ガイド片２４を省略しても良い。
【００２７】
【発明の効果】
以上のように請求項１又は４記載の発明によれば、リールをハンドルに回転可能に支持させ、このハンドルの先端部にリールから引き出された定形シーリング材を挟む少なくとも一対の繰り出しローラを支持させ、ハンドルの先端部に圧着ローラを支持させて当該圧着ローラを一対の繰り出しローラよりも先端部側に位置させ、ハンドルの先端部に一対の繰り出しローラと圧着ローラとの間に位置する第一の刃を取り付けるとともに、ハンドルの先端部に回転操作で第一の刃に接離する第二の刃を支持させ、これら第一、第二の刃の間に定形シーリング材を挟んで切断するので、施工治具の点数を削減してその管理や保管が容易になるという効果がある。さらに、高所作業の円滑化や容易化等を図ることが可能になる。
【図面の簡単な説明】
【図１】本発明に係るシーリング工具及びこれを用いた目地のシーリング方法の実施形態を示す斜視説明図である。
【図２】本発明に係るシーリング工具の実施形態を示す斜視説明図である。
【図３】本発明に係るシーリング工具の実施形態を示す正面図である。
【図４】本発明に係るシーリング工具の実施形態のリール無しの状態を示す斜視説明図である。
【図５】本発明に係るシーリング工具の実施形態を示す平面図である。
【図６】本発明に係るシーリング工具の実施形態におけるハンドル及び取付プレートを示す平面図である。
【図７】本発明に係るシーリング工具の実施形態における定形シーリング材を巻回したリールを示す斜視説明図である。
【図８】本発明に係るシーリング工具の実施形態における定形シーリング材を示す斜視説明図である。
【図９】外壁の目地を示す斜視説明図である。
【図１０】従来の目地のシーリング方法を示す説明図で、(ａ)図は外壁の施工面を布で清掃する状態を示す斜視図、(ｂ)図はプライマーを塗布する状態を示す斜視図、(ｃ)図は外壁の目地に定形シーリング材を圧着する状態を示す斜視図、(ｄ)図は定形シーリング材を押圧工具で圧着して仕上げる状態を示す斜視図、(ｅ)図は外壁の施工面を清掃する状態を示す斜視図である。
【符号の説明】
１      定形シーリング材
２      キャリアフィルム
３      リール
４      ハンドル
７      取付軸
８      取付プレート
１０    第一の繰り出しローラ(繰り出しローラ)
１３    第二の繰り出しローラ(一の繰り出しローラ)
１４    揺動板
１５    溝
１７    圧着ローラ
１８    第一の刃
１９    第二の刃
２４    ガイド片(ガイド)
３０    外壁
３１    目地
【図１】
0004268731.tif 000002
【図２】
0004268731.tif 000003
【図３】
0004268731.tif 000004
【図４】
0004268731.tif 000005
【図５】
0004268731.tif 000006
【図６】
0004268731.tif 000007
【図７】
0004268731.tif 000008
【図８】
0004268731.tif 000009
【図９】
0004268731.tif 000010
【図１０】
0004268731.tif 000011